(57)【特許請求の範囲】
【請求項１】
移動局宛ての着信に応じて、該移動局の位置登録エリアに対して、ページング信号を送信するページング信号送信方法であって、
前記移動局の位置登録エリアに属するセルを管理する無線基地局が、該移動局に対してアクセスを許可していない場合、該セルに対して、前記ページング信号を送信せず、
停止状態の前記無線基地局は、ネットワーク装置から前記セルに対して前記ページング信号を送信するように指示された場合で、かつ、前記移動局に対してアクセスを許可している場合に、起動状態に遷移し、
停止状態の前記無線基地局は、前記ネットワーク装置から前記セルに対して前記ページング信号を送信するように指示された場合で、かつ、前記移動局に対してアクセスを許可していない場合には、停止状態のままであることを特徴とするページング信号送信方法。
【請求項２】
移動局宛ての着信に応じて、該移動局の位置登録エリアに対して、ページング信号を送信するページング信号送信方法であって、
前記移動局の位置登録エリアに属するセルを管理する無線基地局が、該移動局に対してアクセスを許可していない場合、ネットワーク装置が、該無線基地局に対して、該セルに対して前記ページング信号を送信するように指示せず、
前記無線基地局は、前記移動局に対してアクセスを許可していない場合で、かつ、前記ネットワーク装置から該セルに対して前記ページング信号を送信するように指示された場合に、該移動局に対してアクセスを許可していない旨を該ネットワーク装置に通知し、
前記ネットワーク装置は、前記通知に応じて、前記無線基地局が前記移動局に対してアクセスを許可していないことを記憶することを特徴とするページング信号送信方法。
【請求項３】
移動局宛ての着信に応じて、該移動局の位置登録エリアに対して、ページング信号を送信する移動通信システムで用いられており、該移動局の位置登録エリアに属するセルを管理している無線基地局であって、
前記移動局に対してアクセスを許可していない場合、前記セルに対して、前記ページング信号を送信せず、
停止状態において、ネットワーク装置から前記セルに対して前記ページング信号を送信するように指示された場合で、かつ、前記移動局に対してアクセスを許可している場合に、起動状態に遷移するように構成されており、
停止状態において、前記ネットワーク装置から前記セルに対して前記ページング信号を送信するように指示された場合で、かつ、前記移動局に対してアクセスを許可していない場合には、停止状態のままであるように構成されていることを特徴とする無線基地局。
【請求項４】
前記移動局に対してアクセスを許可していない場合で、かつ、ネットワーク装置から前記セルに対して前記ページング信号を送信するように指示された場合に、該移動局に対してアクセスを許可していない旨を該ネットワーク装置に通知するように構成されていることを特徴とする請求項３に記載の無線基地局。
【請求項５】
移動局宛ての着信に応じて、該移動局の位置登録エリアに対して、ページング信号を送信する移動通信システムで用いられているネットワーク装置であって、
前記移動局の位置登録エリアに属するセルを管理する無線基地局が、該移動局に対してアクセスを許可していない場合、該無線基地局に対して、該セルに対して前記ページング信号を送信するように指示せず、
前記無線基地局から、前記移動局に対してアクセスを許可していない旨を示す通知を受信し、該通知に応じて、該無線基地局が該移動局に対してアクセスを許可していないことを記憶することを特徴とするネットワーク装置。
【発明の詳細な説明】
【技術分野】
【０００１】
本発明は、移動局宛ての着信に応じて、該移動局の位置登録エリアに対して、ページング信号を送信するページング信号送信方法、無線基地局及びネットワーク装置に関する。
【背景技術】
【０００２】
Ｗ-ＣＤＭＡ方式の移動通信システムでは、セルごとに、位置登録エリアＩＤ（Ｌｏｃａｔｉｏｎ  Ａｒｅａ  ＩＤ）が設定されている。
【０００３】
移動局は、各セルから送信されている報知情報に含まれている位置登録エリアＩＤの変更を検知した場合に、或いは、電源が投入された場合に、位置登録サーバに対して位置登録処理を行うように構成されている。
【０００４】
当該移動局宛ての着信があった場合には、交換機は、位置登録サーバに対して、当該移動局が在圏している位置登録エリアを問い合わせ、当該位置登録エリアに対して、ページング信号を送信することによって、当該移動局に対して着信を通知するように構成されている。
【０００５】
また、従来の移動通信システムでは、フェムト無線基地局のような家庭用の小型無線基地局が配置されることが想定されている。
【０００６】
ここで、例えば、住宅密集地やマンション等に多数のフェムト無線基地局が配置されているような場合、全てのフェムト無線基地局によって管理されるホームセルごとに異なる位置登録エリアＩＤを設定すると、移動局による位置登録処理が多発するという問題点があった。
【０００７】
かかる問題点を解決するために、複数のホームセルを含むセル群に対して、同一の位置登録エリアＩＤを設定するという運用が行われている。
【特許文献１】特開平６-３５１０５７号公報
【発明の開示】
【発明が解決しようとする課題】
【０００８】
しかしながら、上述の移動通信システムでは、移動局宛ての着信が合った場合、同一の位置登録エリアＩＤが設定されている全てのセルに対して、ページング信号を送信するように構成されているため、当該移動局に対してアクセスを許可していないホームセルに対しても、当該ページング信号が送信されてしまうことになり、冗長なページング信号の送信による無線リソースの浪費及び無線基地局における消費電力の浪費となるという問題点があった。
【０００９】
そこで、本発明は、上述の課題に鑑みてなされたものであり、移動局に対してアクセスを許可していないホームセルに対する当該移動局宛てのページング信号の送信を抑止することによって、冗長なページング信号の送信による無線リソースの浪費及び無線基地局における消費電力の浪費を回避することができるページング信号送信方法、無線基地局及びネットワーク装置を提供することを目的とする。
【課題を解決するための手段】
【００１０】
本発明の第１の特徴は、移動局宛ての着信に応じて、該移動局の位置登録エリアに対して、ページング信号を送信するページング信号送信方法であって、前記移動局の位置登録エリアに属するセルを管理する無線基地局が、該移動局に対してアクセスを許可していない場合、該セルに対して、前記ページング信号を送信しないことを要旨とする。
【００１１】
本発明の第１の特徴において、停止状態の前記無線基地局は、ネットワーク装置から前記セルに対して前記ページング信号を送信するように指示された場合で、かつ、前記移動局に対してアクセスを許可している場合に、起動状態に遷移し、停止状態の前記無線基地局は、前記ネットワーク装置から前記セルに対して前記ページング信号を送信するように指示された場合で、かつ、前記移動局に対してアクセスを許可していない場合には、停止状態のままであってもよい。
【００１２】
本発明の第２の特徴は、移動局宛ての着信に応じて、該移動局の位置登録エリアに対して、ページング信号を送信するページング信号送信方法であって、前記移動局の位置登録エリアに属するセルを管理する無線基地局が、該移動局に対してアクセスを許可していない場合、ネットワーク装置が、該無線基地局に対して、該セルに対して前記ページング信号を送信するように指示しないことを要旨とする。
【００１３】
本発明の第２の特徴において、前記無線基地局は、前記移動局に対してアクセスを許可していない場合で、かつ、前記ネットワーク装置から該セルに対して前記ページング信号を送信するように指示された場合に、該移動局に対してアクセスを許可していない旨を該ネットワーク装置に通知し、前記ネットワーク装置は、前記通知に応じて、前記無線基地局が前記移動局に対してアクセスを許可していないことを記憶してもよい。
【００１４】
本発明の第３の特徴は、移動局宛ての着信に応じて、該移動局の位置登録エリアに対して、ページング信号を送信する移動通信システムで用いられており、該移動局の位置登録エリアに属するセルを管理している無線基地局であって、前記移動局に対してアクセスを許可していない場合、前記セルに対して、前記ページング信号を送信しないように構成されていることを要旨とする。
【００１５】
本発明の第３の特徴において、前記移動局に対してアクセスを許可していない場合で、かつ、ネットワーク装置から前記セルに対して前記ページング信号を送信するように指示された場合に、該移動局に対してアクセスを許可していない旨を該ネットワーク装置に通知するように構成されていてもよい。
【００１６】
本発明の第３の特徴において、停止状態において、ネットワーク装置から前記セルに対して前記ページング信号を送信するように指示された場合で、かつ、前記移動局に対してアクセスを許可している場合に、起動状態に遷移するように構成されており、停止状態において、前記ネットワーク装置から前記セルに対して前記ページング信号を送信するように指示された場合で、かつ、前記移動局に対してアクセスを許可していない場合には、停止状態のままであるように構成されていてもよい。
【００１７】
本発明の第４の特徴は、移動局宛ての着信に応じて、該移動局の位置登録エリアに対して、ページング信号を送信する移動通信システムで用いられているネットワーク装置であって、前記移動局の位置登録エリアに属するセルを管理する無線基地局が、該移動局に対してアクセスを許可していない場合、該無線基地局に対して、該セルに対して前記ページング信号を送信するように指示しないことを要旨とする。
【００１８】
本発明の第４の特徴において、前記無線基地局から、前記移動局に対してアクセスを許可していない旨を示す通知を受信し、該通知に応じて、該無線基地局が該移動局に対してアクセスを許可していないことを記憶してもよい。
【発明の効果】
【００１９】
以上説明したように、本発明によれば、移動局に対してアクセスを許可していないホームセルに対する当該移動局宛てのページング信号の送信を抑止することによって、冗長なページング信号の送信による無線リソースの浪費及び無線基地局における消費電力の浪費を回避することができるページング信号送信方法、無線基地局及びネットワーク装置を提供することができる。
【発明を実施するための最良の形態】
【００２０】
（本発明の第１の実施形態に係る移動通信システムの構成）
図１乃至図３を参照して、本発明の第１の実施形態に係る移動通信システムの構成について説明する。
【００２１】
図１に示すように、本実施形態に係る移動通信システムは、位置登録サーバ１００と、ネットワーク装置１０と、マクロセル＃Ａを管理するマクロセル用無線基地局＃Ａと、ホームセル＃ａを管理するフェムト無線基地局＃ａと、ホームセル＃ｂを管理するフェムト無線基地局＃ｂと、ホームセル＃ｃを管理するフェムト無線基地局＃ｃと、ホームセル＃ｄを管理するフェムト無線基地局＃ｄとを具備している。
【００２２】
位置登録サーバ１００は、移動局ＵＥが在圏している位置登録エリアを管理するように構成されている。
【００２３】
ここで、本実施形態では、マクロセル＃Ａ、ホームセル＃ａ、ホームセル＃ｂ、ホームセル＃ｃ及びホームセル＃ｄには、同一の位置登録エリアＩＤ（Ｌｏｃａｔｉｏｎ  Ａｒｅａ  ＩＤ）＃１が設定されているものとする。
【００２４】
また、本実施形態では、移動局ＵＥは、位置登録エリアＩＤ＃１によって特定される位置登録エリアに在圏しているものとする。
【００２５】
図２に示すように、本実施形態に係るフェムト無線基地局１０は、ページング信号送信指示受信部１１と、アクセスリスト管理部１２と、ページング信号送信部１３と、通知部１４とを具備している。
【００２６】
なお、本実施形態において、フェムト無線基地局＃ａ乃至＃ｄは、基本的に同一の機能を具備しているため、上述のフェムト無線基地局１０として、フェムト無線基地局＃ａ乃至＃ｄの機能について説明する。
【００２７】
ページング信号送信指示受信部１１は、交換機ＭＳＣ/ＳＧＳＮや無線制御装置ＲＮＣ等のネットワーク装置１０から、位置登録エリアＩＤ＃１が設定されているセルに対して、移動局ＵＥ宛てのページング信号を送信するように指示するページング信号送信指示を受信するように構成されている。
【００２８】
アクセスリスト管理部１２は、フェムト無線基地局１０（或いは、フェムト無線基地局１０によって管理されているホームセル＃１０）に対するアクセスを許可する移動局ＵＥを設定するためのアクセスリストを管理するように構成されている。
【００２９】
ページング信号送信部１３は、ページング信号送信指示受信部１１によって受信されたページング信号送信指示に応じて、特定のセルに対して、移動局ＵＥ宛てのページング信号を送信するように構成されている。
【００３０】
ここで、ページング信号送信部１３は、ページング信号送信指示受信部１１によって上述のページング信号送信指示が受信された場合であっても、フェムト無線基地局１０が当該移動局ＵＥに対してアクセスを許可していない場合には、かかるセル（ホームセル＃１０）に対して、当該ページング信号を送信しないように構成されている。
【００３１】
なお、停止状態のフェムト無線基地局１０は、ネットワーク装置から、移動局ＵＥの位置登録エリアに含まれるセルに対して移動局ＵＥ宛てのページング信号を送信するように指示された場合で、かつ、移動局ＵＥに対してアクセスを許可している場合に、起動状態に遷移して、ページング信号送信部１３が、当該ページング信号を送信するように構成されていてもよい。
【００３２】
また、停止状態のフェムト無線基地局１０は、ネットワーク装置から、移動局ＵＥの位置登録エリアに含まれるセルに対して移動局ＵＥ宛てのページング信号を送信するように指示された場合で、かつ、移動局ＵＥに対してアクセスを許可していない場合には、停止状態のままであり、ページング信号送信部１３が、当該ページング信号を送信しないように構成されていてもよい。
【００３３】
通知部１４は、移動局ＵＥに対してアクセスを許可していない場合で、かつ、ネットワーク装置からホームセル＃１０に対して当該ページング信号を送信するように指示された場合に、当該移動局ＵＥに対してアクセスを許可していない旨を当該ネットワーク装置に通知するように構成されている。
【００３４】
図３に示すように、ネットワーク装置１０は、着信処理部２１と、位置登録エリア管理部２２と、ページング信号送信指示送信部２３とを具備する。
【００３５】
ここで、ネットワーク装置１０の機能は、交換機ＭＳＣ/ＳＧＳＮや無線制御装置ＲＮＣ等の単一の装置に搭載されていてもよいし、交換機ＭＳＣ/ＳＧＳＮ及び無線制御装置ＲＮＣ等の複数の装置に搭載されていてもよい。
【００３６】
着信処理部２１は、ネットワーク装置１０配下の無線基地局（マクロセル用無線基地局＃Ａ、フェムト無線基地局＃ａ乃至＃ｄを含む）によって管理されているセルに在圏している移動局ＵＥ宛ての着信を検出して、ページング信号送信指示送信部２３に通知するように構成されている。
【００３７】
位置登録エリア管理部２２は、当該移動局ＵＥが在圏している位置登録エリアを管理するように構成されている。具体的には、位置登録エリア管理部２２は、位置登録サーバ１００から取得した当該移動局ＵＥが在圏している位置登録エリアを管理するように構成されている。
【００３８】
ページング信号送信指示送信部２３は、移動局ＵＥ宛ての着信に応じて、移動局ＵＥの位置登録エリア（具体的には、移動局ＵＥの位置登録エリアに含まれるセル）に対してページング信号を送信するように指示するページング信号送信指示を、移動局ＵＥの位置登録エリアを管理する無線基地局に対して送信するように構成されている。
【００３９】
ここで、ページング信号送信指示送信部２３は、移動局ＵＥの位置登録エリアを管理する無線基地局のうち、移動局ＵＥに対してアクセスを許可していないフェムト無線基地局に対して、上述のセルに対してページング信号を送信するように指示しない、すなわち、上述のページング信号を送信しないように構成されていてもよい。
【００４０】
ここで、ページング信号送信指示送信部２３は、フェムト無線基地局から、移動局ＵＥに対してアクセスを許可していない旨を示す通知を受信し、かかる通知に応じて、かかるフェムト無線基地局が移動局ＵＥに対してアクセスを許可していないことを記憶するように構成されていてもよい。
【００４１】
なお、ページング信号送信指示送信部２３は、ネットワーク装置１０配下の無線基地局によって管理されているセルごとに設定されている位置登録エリアＩＤを管理するように構成されている。
【００４２】
そして、ページング信号送信指示送信部２３は、フェムト無線基地局から、移動局ＵＥに対してアクセスを許可していない旨を示す通知を受信した場合、当該フェムト無線基地局によって管理されているホームセルに対して設定されている位置登録エリアＩＤを変更するように構成されていてもよい。
【００４３】
（本発明の第１の実施形態に係る移動通信システムの動作）
図４を参照して、本発明の第１の実施形態に係る移動通信システムの動作について説明する。
【００４４】
図４に示すように、ステップＳ１００１において、移動局ＵＥ宛ての着信が、ネットワーク装置１０（交換機ＭＳＣ/ＳＧＳＮ）に到達する。
【００４５】
ネットワーク装置１０が、ステップＳ１００２において、位置登録サーバ１００に対して、当該移動局ＵＥが在圏している位置登録エリアを特定する位置登録エリアＩＤを取得するための位置登録エリアＩＤ取得要求を送信し、ステップＳ１００３において、当該位置登録エリアＩＤを取得する。
【００４６】
ステップＳ１００４において、ネットワーク装置１０が、当該位置登録エリアＩＤが設定されているセル（マクロセル及びホームセル）を管理する無線基地局（マクロセル用無線基地局及びフェムト無線基地局）の中から、当該移動局ＵＥに対してアクセスを許可していないフェムト無線基地局を抽出する。
【００４７】
ステップＳ１００５において、ネットワーク装置１０が、当該移動局ＵＥに対してアクセスを許可していないフェムト無線基地局以外の無線基地局（マクロセル用無線基地局及びフェムト無線基地局１０）に対して、当該移動局ＵＥ宛てのページング信号を当該位置登録エリアＩＤが設定されているセル送信するように指示するページング信号送信指示を送信する。
【００４８】
ステップＳ１００６において、フェムト無線基地局１０が、当該移動局ＵＥに対してアクセスを許可しているか否かについて判定する。
【００４９】
フェムト無線基地局１０は、当該移動局ＵＥに対してアクセスを許可していると判定した場合、ステップＳ１００７において、配下のホームセル＃１０に対して、当該移動局ＵＥ宛てのページング信号を送信する。
【００５０】
一方、フェムト無線基地局１０は、当該移動局ＵＥに対してアクセスを許可していないと判定した場合、配下のホームセル＃１０に対して、当該移動局ＵＥ宛てのページング信号を送信せずに、その旨を、ネットワーク装置１０に通知する。
【００５１】
その後、ネットワーク装置１０Ｃは、かかる通知に応じて、当該フェムト無線基地局１０が当該移動局ＵＥに対してアクセスを許可していないことを記憶しておき（或いは、当該フェムト無線基地局１０配下のホームセル＃１０に対して設定されている位置登録エリアＩＤ＃１を、別の位置登録エリアＩＤに変更しておき）、当該移動局ＵＥ宛ての着信を検出した場合であっても、当該フェムト無線基地局１０に対して、上述のページング信号送信指示を送信しない。
【００５２】
（本発明の第１の実施形態に係る移動通信システムの作用・効果）
本発明の第１の実施形態に係る移動通信システムによれば、移動局ＵＥに対してアクセスを許可していないホームセルに対する当該移動局宛てのページング信号の送信を抑止することによって、冗長なページング信号の送信による無線リソースの浪費及び無線基地局における消費電力の浪費を回避する。
【００５３】
また、本発明の第１の実施形態に係る移動通信システムによれば、ネットワーク装置が、当該移動局ＵＥに対してアクセスを許可していないフェムト無線基地局１０に対して、当該フェムト無線基地局１０配下のホームセル１０に対して設定されている位置登録エリアＩＤを変更することができるため、予めグループ単位で設定した位置登録エリアＩＤを、ページング信号を受信する毎に、自動的に変更することができる。
【００５４】
その結果、例えば、多数のホームセルが形成されているマンションが隣り合っているような場合で、かつ、かかるホームセルに対して予め同一の位置登録エリアＩＤが割り宛てられているような場合に、特定のホームセルに対してページング信号が送信されなかったという情報を蓄積することで、いずれかのマンションにおける位置登録エリアＩＤを自動的に一律に変更する機能を有することも可能であり、位置登録エリアＩＤの管理作業の軽減効果を見込むことができる。
【００５５】
（変更例）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００５６】
ＬＴＥ方式の移動通信システムでは、交換局ＭＭＥが、上述のネットワーク装置の役割を果たすように構成されている。
【００５７】
また、交換局ＭＭＥは、「Ｔｒａｃｋｉｎｇ  Ａｒｅａ  ＩＤ」によって、各セル（マクロセル及びホームセル）を識別するように構成されている。
【００５８】
さらに、本発明は、ホームセル及びマクロセルを、別々の位置登録サーバにおいて管理する場合にも適用可能であり、いくつかのホームセルに同一の位置登録エリアＩＤを設定することで位置登録エリアＩＤの管理作業の軽減を実現するような場合にも、上述の実施形態の場合と同様の効果が見込める。
【００５９】
なお、上述の移動局ＵＥや無線基地局（マクロセル用無線基地局やフェムト無線基地局）や無線制御局ＲＮＣや交換機ＭＳＣ/ＳＧＳＮの動作は、ハードウェアによって実施されてもよいし、プロセッサによって実行されるソフトウェアモジュールによって実施されてもよいし、両者の組み合わせによって実施されてもよい。
【００６０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局（マクロセル用無線基地局やフェムト無線基地局）や無線制御局ＲＮＣや交換機ＭＳＣ/ＳＧＳＮ内に設けられていてもよい。また、かかる記憶媒体及びプロセッサは、ディスクリートコンポーネントとして移動局ＵＥや無線基地局（マクロセル用無線基地局やフェムト無線基地局）や無線制御局ＲＮＣや交換機ＭＳＣ/ＳＧＳＮ内に設けられていてもよい。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６３】
【図１】本発明の第１の実施形態に係る移動通信システムの全体構成図である。
【図２】本発明の第１の実施形態に係るフェムト無線基地局の機能ブロック図である。
【図３】本発明の第１の実施形態に係るネットワーク装置の機能ブロック図である。
【図４】本発明の第１の実施形態に係る移動通信システムの動作を示すシーケンス図である。
【符号の説明】
【００６４】
１００…位置登録サーバ
１０…フェムト無線基地局
１１…ページング信号送信指示受信部
１２…アクセスリスト管理部
１３…ページング信号送信部
１４…通知部
２０…ネットワーク装置
ＲＮＣ…無線制御装置
ＭＳＣ/ＳＧＳＮ…交換機
２１…着信処理部
２２…位置登録エリア管理部
２３…ページング信号送信指示送信部
【図１】
0004907579.tif 000002
【図２】
0004907579.tif 000003
【図３】
0004907579.tif 000004
【図４】
0004907579.tif 000005